(57)【要約】【課題】作業する前の事前調査を行う必要がなく、効率よく経済的につり合いおもりの支持を可能とするエレベーターのつり合いおもり支持装置を提供するにある。【解決手段】受け部材２０と取り付けベース２２はつり合いおもり用レール７を挟む形で取り付けられ、受け部材２０にジャッキベース２３を固定する。ジャッキベース２３にジャッキ２１を挿入し、ジャッキ２１に足場用単管２４を挿入し、足場用単管２４をつり合いおもり４下部のガイドシュー４ａを固定するブラケット４ａに接するようにジャッキ２１で調整する。【選択図】        図１
2004149258.tif 000002
【特許請求の範囲】
【請求項１】
ロープを介してかごとつり合いおもりが連動するエレベーターのつり合いおもりの支持装置において、つり合いおもり用レールにレールクリップで取り付ける支持台と、前記支持台に固定したジャッキと、前記ジャッキに挿入した単管パイプを設けたことを特徴とするエレベーターのつり合いおもり支持装置。
【発明の詳細な説明】
【０００１】
【発明の属する技術分野】
本発明は、エレベーターのつり合いおもり支持装置に関する。
【０００２】
【従来の技術】
従来、エレベーターの主ロープ交換、昇降路頂部プーリー交換等の作業で、つり合いおもりは昇降路の底部で固定支持され、その支持装置にあっては、昇降路の下部で向き合うつり合いおもり用レール間に立設された緩衝器の両側に立設し、上下に同一軸心線上に連結される複数本の支えで、つり合いおもり下部を支えるエレベーターのつり合いおもり支持治工具が提案されている。
【０００３】
これは、昇降路下部のピット面または緩衝器台でつり合いおもりの質量を受けて行うものである（例えば、特許文献１参照。）。
【０００４】
また、昇降路底部に立設させ、つり合いおもり用レールに仮固定した支柱とつり合いおもり下部との間に伸縮手段を設けた支持装置が提案されている。
【０００５】
これは、つり合いおもりの固定する位置の変動に伸縮手段で対応するものである（例えば、特許文献２参照。）。
【０００６】
【特許文献１】
特開平１１−１２４２８５号公報
（段落番号００２２−００２９、第１図）
【０００７】
【特許文献２】
特開平６−９２５６９号公報
（段落番号００１０−００１４、第１図）
【０００８】
【発明が解決しようとする課題】
しかし、前記従来技術では、かご上を作業足場とした場合、作業者がかご上と最上階ホールとの出入りを行うため、かごを停止する位置はおのずと、本来の着床位置より低い位置であり、その分、つり合いおもりの停止位置は高くなる。このつり合いおもりを固定する位置は現場によって、ピット面または緩衝器台とつり合いおもり下部との距離がさまざまなため、その都度、連結される複数の支えを用意しなくてはならない。前記距離変化対応として一本の支柱と伸縮手段が提案されているものの、伸縮手段で網羅できる範囲は限られており、支柱自身、長さの違う支柱を多数用意しなくてはならない。
【０００９】
また、機種または現場環境によって、ピット面または緩衝器台の上面構造が違うため、ピット面または緩衝器台に直接接する支えまたは支柱は底部構造を多数用意しなくてはならない。
【００１０】
そのため、部品点数が多いことより治工具の管理が煩雑となり、更に、現場毎の構造確認と多数の治工具類の搬送などが発生し、作業効率が悪く、経済的にも問題があった。
【００１１】
本発明は以上の問題点を鑑みてなされたもので、その目的はエレベーターの現場毎の確認を必要とせず、部品点数を少なくして作業効率のよいつり合いおもりの支持が可能となるエレベーターのつり合いおもり支持装置を提供するにある。
【００１２】
【課題を解決するための手段】
本発明は上記目的を達成するため、ロープを介してかごとつり合いおもりが連動するエレベーターのつり合いおもりの支持装置において、つり合いおもり用レールにレールクリップで取り付ける支持台と、前記支持台に固定したジャッキと、前記ジャッキに挿入した単管パイプを設ける構成とした。
【００１３】
このように本発明においては、つり合いおもりをガイドするレールに固定した支持台で支えるので、昇降路のピット面または緩衝器台上面を用いることなく支えることができることから、現場毎の構造確認を行うことなくつり合いおもりを支持することができる。
【００１４】
【発明の実施の形態】
以下、本発明の一実施の形態を図１〜図４に基づき説明する。図１は本発明のエレベーターのつり合いおもり支持装置の一実施形態を示す側面図、図２は本発明のエレベーターのつり合いおもり支持装置を示す正面図、図３はエレベーターの構造を示す断面図、図４は従来技術のつり合いおもり支持装置を示す断面図である。
【００１５】
図３を用いてエレベーター構成を説明する。１は昇降路、３は主ロープ２を介してつり合いおもり４と連動するかご、５はかご３をガイドするかご側レール、６は昇降路１の底部１ａのかご側レール５間に立設する緩衝器、７はつり合いおもり４をガイドするつり合いおもり側レール、８は昇降路１の底部１ａのつり合いおもり側レール７間に立設する緩衝器、緩衝器６、８は底部１ａに固定された緩衝器台６ａ、８ａの上面に固定されている。
【００１６】
かご側レール５またはつり合いおもり側レール７は昇降路１壁にレール固定ブラケット５ａ、７ａで固定支持されている。
【００１７】
前記ロープ２は昇降路１の頂部１ｂに設けてあるロープエンドビーム１０に備えた端部張力調整バネ２ａに固定され、そこから、かご３下プーリー３ａ、ロープエンドビーム１０に固定している頂部プーリー１０ａ、駆動装置９、頂部プーリー１０ｂ、つり合いおもり４のプーリー４ａを通って端部張力調整バネ２ｂで固定されている。
【００１８】
図４を用いて従来のつり合いおもり支持固定方法を説明する。
【００１９】
昇降路１の頂部１ｂに設けられている頂部プーリー１０ａの図示しないベアリング交換作業では、かご３上を作業場として交換する場合、頂部１ｂにかご３を図示しないチェーンブロックと吊りワイヤでかご３を吊り、つり合いおもり４は底部１ａのつり合いおもり側緩衝器台８ａ上に支柱１１を立設し、前記支柱１１上に伸縮手段１２を設け、つり合いおもり４の下部を受けて支持し、主ロープ２に掛かるかご３とつり合いおもり４の負荷を除去し、頂部プーリー１０ａの図示しないベアリング交換作業を行う。
【００２０】
このつり合いおもり４の支持する高さは、かご３を固定する位置により決定され、その固定位置は、かご３上天井床と頂部プーリー１０ａ固定部との距離が作業者にとって安全に作業可能な距離を得られる位置である。
【００２１】
そのため、所定の長さである支柱１１と伸縮手段１２にてつり合いおもり４を支持するには、最上階１３にかご３が着床した時のかご３上天井とロープエンドビーム８との距離によっては、支柱１１と伸縮手段１２には、一般的に５００〜２０００ｍｍの対応能力を要求され、現場環境によっては、昇降路１の頂部１ｂに高さ余裕があり、その余裕に合わせてロープエンドビーム１０が高い位置に取り付けられている場合、支柱１１と伸縮手段１２には更に対応能力が求められ、支柱１１は数種類の長さが必要である。
【００２２】
また、緩衝器台８ａの上面は機種により構造が異なり、支柱１１を緩衝器台８ａの上面で固定することは困難であり、つり合いおもり側レール６を利用して支柱１１を固定するが、つり合いおもり４質量を受ける緩衝器台８ａの上面と支柱１１の接触の確実性が乏しい。
【００２３】
本発明は、この緩衝器台８ａの上面構造とかご３を固定する位置によるつり合いおもり４の固定位置の変動に迅速に対応可能とすることを目的とした。
【００２４】
図１を用いて本発明のつり合いおもり支持装置の構成を説明する。
【００２５】
２０はジャッキ２１の受け部材、２２は受け部材２０と固定ボルト２２ａで一体となりつり合いおもり用レール７にレールクリップ２２ｂで固定される取り付けベース、２３は受け部材２０の上面に固定ボルト２３ａで一体となるジャッキベース、２４は足場用単管である。
【００２６】
ここで、図２の正面図を用いて、更に構造を説明する。
【００２７】
受け部材２０と取り付けベース２２はつり合いおもり用レール７を挟む形で取り付けられ、受け部材２０にジャッキベース２３を固定する。
【００２８】
ジャッキベース２３にジャッキ２１を挿入し、ジャッキ２１に足場用単管２４を挿入し、足場用単管２４をつり合いおもり４下部のガイドシュー４ａを固定するブラケット４ａに接するようにジャッキ２１で調整する。
【００２９】
対向して設けられているつり合いおもり用レール７の各々に受け部材２０を取り付け、つり合いおもり４のブラケット４ａに均等に足場用単管２４が接するようにジャッキ２１を用いて調整する。足場用単管２４がブラケット４ａに接した後、つり合いおもり４の質量を受け部材２０に掛けるため、かご３を図示しないチェーンブロックで吊り上げ、つり合いおもり４を下げて、つり合いおもり４の質量を掛けて固定支持できる。
【００３０】
これにより、最上階１３にかご３が着床した時のかご３上天井とロープエンドビーム８との距離が変化しても、受け部材２０と取り付けベース２２をつり合いおもり用レール７に挟む形で取り付けられるので、所定の長さである足場用単管２４とジャッキ２１で支持可能であり、ジャッキ２１または足場用単管２４を複数用意することなく、効率よく経済的につり合いおもりの固定支持作業を実施できる。
【００３１】
本実施形態では、巻上機が昇降路下部に設置される機械室レスエレベーターの例で示したが、巻上機が昇降路上部に配置される機械室レスエレベーターまたは機械室ありで２：１ローピングのエレベーターであっても、先の実施形態と同様の効果を得ることができる。
【００３２】
【発明の効果】
以上説明したように、最上階にかごが着床した時のかご上天井とロープエンドビームとの距離が変化しても、受け部材と取り付けベースをつり合いおもり用レールに挟む形で取り付け、所定の長さである足場用単管とジャッキで支持可能であり、ジャッキまたは足場用単管を複数用意することなく、効率よく経済的につり合いおもりの固定支持作業を実施できる。
【００３３】
これにより、最上階にかごが着床した時のかごの上天井とロープエンドビームとの距離が変化しても、受け部材と取り付けベースをつり合いおもり用レールに挟む形で取り付けられるので、所定の長さである足場用単管とジャッキで支持可能であり、ジャッキまたは足場用単管を複数用意することなく、効率よく経済的につり合いおもりの固定支持作業を実施できる。
【図面の簡単な説明】
【図１】本発明のエレベーターのつり合いおもり支持装置の一実施形態を示す側面図である。
【図２】本発明のエレベーターのつり合いおもり支持装置を示す正面図である。
【図３】エレベーターの構造を示す断面図である。
【図４】従来技術のつり合いおもり支持装置を示す断面図である。
【符号の説明】
１  昇降路
２  主ロープ
３  かご
４  つり合いおもり
５  かご側レール
６  緩衝器
７  つり合いおもり側レール
８  緩衝器
９  駆動装置
１０  ロープエンドビーム
１１  支柱
１２  伸縮手段
１３  最上階
２０  受け部材
２１  ジャッキ
２２  取り付けベース
２３  ジャッキベース
２４  足場用単管
【図１】
2004149258.tif 000003
【図２】
2004149258.tif 000004
【図３】
2004149258.tif 000005
【図４】
2004149258.tif 000006